(57)【要約】【課題】簡単な作業で化粧材と下地との隙間の開口を塞ぐことができる化粧材用水切りを提供する。【解決手段】化粧材用水切り１０は、下地３０に取り付けられた化粧材２０の上部に設けられる。化粧材用水切り１０は、下地３０と化粧材２０とで狭持されるように設けられる固定部１１と、固定部１１の上部に連続して化粧材２０の上部を被うように延びた化粧材カバー部１２と、固定部１１の背面にその横方向に沿って設けられたシール用弾性材１３と、を備える。【選択図】図２
2004060259.tif 000002
【特許請求の範囲】
【請求項１】
下地に取り付けられた化粧材の上部に設けられる化粧材用水切りであって、
下地と化粧材とで狭持されるように設けられる固定部と、
上記固定部の上部に連続して化粧材の上部を被うように延びた化粧材カバー部と、
上記固定部の背面にその横方向に沿って設けられたシール用弾性材と、
を備えたことを特徴とする化粧材用水切り。
【発明の詳細な説明】
【０００１】
【発明の属する技術分野】
本発明は、下地に取り付けられた化粧材の上部に設けられる化粧材用水切りに関する。
【０００２】
【従来の技術】
建築物の外壁、破風等の美観を向上させるために化粧材が用いられる。近年、かかる化粧材の取付は、ビスや釘で直接化粧材を下地に打ち付けて取り付ける工法から、下地に化粧材取付具を装着してその化粧材取付具を介して化粧材を取り付ける工法に移行してきている。
【０００３】
そのような化粧材取付具として、特開平８−２７０２００号公報には、化粧材取付具に化粧材裏面を押圧する板バネを設けることについて開示されており、これによって化粧材の前後方向におけるガタツキを防止することができると記載されている。
【０００４】
また、特開平１０−３０６５７２号公報には、化粧材取付具の受部に係止片を設けることについて開示されており、その受部に化粧材の突起をバネ嵌合することにより、係止片が突起のくびれ部分に係合して化粧材が化粧材取付具から外れるのを防止することができると記載されている。
【０００５】
【発明が解決しようとする課題】
ところで、化粧材と下地との間には隙間が形成されるが、その隙間から水分が進入すると、下地、化粧材取付用の釘や取付具等の腐蝕を招くこととなる。そのため、一般的には、雨等のように化粧材の上方からの水分の進入が多いことを考慮して、化粧材の上端と下地との隙間の開口をシーリング材で塞ぐことが施工現場で行われる。ところが、かかるシーリング材を用いた作業は手間がかかるため、化粧材取付作業の施工効率を低める原因となっている。
【０００６】
本発明は、かかる点に鑑みてなされたものであり、その目的とするところは、簡単な作業で取付可能であり、しかも、化粧材と下地との隙間への水分の進入を確実に防止することができる化粧材用水切りを提供することにある。
【０００７】
【課題を解決するための手段】
上記目的を達成する本発明の化粧材用水切りは、下地に取り付けられた化粧材の上部に設けられるものであって、
下地と化粧材とで狭持されるように設けられる固定部と、
上記固定部の上部に連続して化粧材の上部を被うように延びた化粧材カバー部と、
上記固定部の背面にその横方向に沿って設けられたシール用弾性材と、
を備えたことを特徴とする。
【０００８】
上記の構成によれば、下地と化粧材との間に固定部を挿入固定する、或いは、予め化粧材の上部裏面に固定部を固定するといった簡単な作業により、化粧材取付構造として、固定部が下地と化粧材とで狭持されるようにそれらの間に介設され、それによってシール用弾性材が下地表面の凹凸に対応するように変形して下地に当接すると共に、化粧材カバー部が化粧材の上部を被うように位置付けられたものが構成される。そして、かかる化粧材取付構造では、シール用弾性材によって下地と化粧材との間の隙間の開口が塞がれ、それによってそれらの間の隙間に水分が進入するのを防止することができ、また、化粧材カバー部によって化粧材の上面への水分の付着が未然に防がれ、それによって下地と化粧材との間の隙間に化粧材の上面に付着した水分が流入するのを完全に防止することができる。つまり、本発明の化粧材用水切りによれば、簡単な作業での取付が可能であり、しかも、化粧材と下地との隙間への水分の進入を確実に防止することができる。
【０００９】
【発明の実施の形態】
以下、本発明の実施形態を図面に基づいて詳細に説明する。
【００１０】
図１は、本発明の実施形態に係る化粧材用水切り１０を示す。
【００１１】
この化粧材用水切り１０は、細長い板状金属材料が幅方向に折曲加工されて形成されたものであり、縦方向に延び且つ上部が段部１１ａに形成された固定部１１と、固定部１１の上端に連続して斜め下に延びた後に下方に延びて下端が内側に折り返されて形成された化粧材カバー部１２と、固定部１１段部１１ａの背面に横方向に沿って接着して設けられた断面矩形のゴムや発泡材等からなるシール用弾性材１３と、からなる。
【００１２】
かかる化粧材用水切り１０は、下地３０とその下地３０に横方向に延びるように取り付けられた長尺の化粧材２０との間に固定部１１を挿入固定する、或いは、予め化粧材２０の上部裏面に固定部１１を固定することにより、図２に示すような化粧材取付構造を構成する。この化粧材取付構造では、固定部１１が下地３０と化粧材２０とで狭持されるようにそれらの間に介設され、それによってシール用弾性材１３が下地３０表面の凹凸に対応するように変形して下地３０に当接すると共に、化粧材カバー部１２が化粧材２０の上部を被うように位置付けられたものとなっている。なお、化粧材２０は、ビスや釘で直接に打ち付けられたり、下地３０に装着された化粧材取付金具を介して下地３０に取り付けられている。また、化粧材２０は、外壁に設けられるものの他、破風板等であってもよい。
【００１３】
上記の化粧材用水切り１０によれば、シール用弾性材１３によって下地３０と化粧材２０との間の隙間の開口が塞がれ、それによってそれらの間の隙間に水分が進入するのを防止することができ、また、化粧材カバー部１２によって化粧材２０の上面への水分の付着が未然に防がれ、それによって下地３０と化粧材２０との間の隙間に化粧材２０の上面に付着した水分が流入するのを完全に防止することができる。つまり、化粧材用水切り１０を簡単な作業で取付可能であり、従来のようにシーリング材を用いて開口を塞ぐ作業程には手間がかからず、従って、化粧材取付作業の施工効率を従来よりも高いものとすることができ、しかも、化粧材２０と下地３０との隙間への水分の進入を確実に防止することができる。
【００１４】
なお、上記実施形態では、金属製の化粧材用水切り１０としたが、特にこれに限定されるものではなく、樹脂製のものであってもよい。
【００１５】
また、上記実施形態では、下地３０に横方向に延びるように取り付けた長尺の化粧材２０に設ける化粧材用水切り１０としたが、化粧材用水切りを設ける化粧材の形状及び化粧材への化粧材用水切りの設置態様はこれに限定されるものではない。
【００１６】
【発明の効果】
以上説明したように、本発明によれば、簡単な作業での取付が可能であり、従来のようにシーリング材を用いて隙間の開口を塞ぐ作業程には手間がかからず、従って、化粧材取付作業の施工効率を従来よりも高いものとすることができ、しかも、化粧材と下地との隙間への水分の進入を確実に防止することができる。
【図面の簡単な説明】
【図１】本発明の実施形態に係る化粧材用水切りの側面図である。
【図２】本発明の実施形態に係る化粧材用水切りの取り付け構造の斜視図である。
【符号の説明】
１０　化粧材用水切り
１１　固定部
１１ａ　段部
１２　化粧材カバー部
１３　シール用弾性材
２０　化粧材
３０　下地
【図１】
2004060259.tif 000003
【図２】
2004060259.tif 000004